(57)【要約】  ベース（１６）及び頂部（１８）を有する容器（１０，１１０，２００）はアイテムを保持する摺動自在なカード（１２）を収容するよう構成されている。頂部（１８）及びベース（１６）は一端が開かれた箱形ケース（１４）を形成する。ケース（１４）内に十分に挿入されると、カード（１２）には、１つ以上の戻り止め（２９）を係合する１つ以上の開口受け（３４）が含まれている。リリースボタン（２０）はケース（１４）上に配置され、戻り止め（２９）近傍に配置されている。スプリング（４８）または他の受け機構は戻り止め（２９）近傍に配置され、開口受け（３４）でカード（１２）を戻り止め（２９）に係合させる。リリースボタン（２０）を押しつけると、戻り止め（２９）上にカード（１２）の開口（３４）が持ち上げられ、カード（１２）が摺動自在に取り出される。【選択図】図１
2010524787.tif 000002
【特許請求の範囲】
【請求項１】
ケース及び摺動自在なカードを備え、
前記ケースは、少なくとも１つの戻り止め受けを備え、
前記ケースは、カードを収容する空所を形成するために、第２側面に連結された第１側面と、
連結により形成され、前記空所を定義する、対向する閉鎖端縁及び閉鎖端と、
前記カードが第１配置と第２配置との間を移動するよう構成された前記閉鎖端に対向する開口端と、
前記戻り止め受けを係合するために前記側面の一方から空所に向けて延在する少なくとも１つの戻り止めと、
前記戻り止め受け及び前記戻り止めを解放するよう構成され、前記戻り止め及び戻り止め受けを係合することにより、前記カードを前記ケース内にロックし、前記戻り止め及び戻り止め受けを解放するために前記解放手段を操作することにより、前記カードを解放する、戻り止めに近接した解放手段と、
前記解放手段を係合するよう構成された機能制限クリップとを備えることを特徴とする保存及び調合システム。
【請求項２】
実質的に延在された第２配置に前記カードを係合するために前記空所内に配置された少なくとも１つの受けをさらに備えることを特徴とする請求項１に記載のシステム。
【請求項３】
前記カードは１つ以上のアイテムを保持するブリスターカードを含むことを特徴とする請求項１に記載のシステム。
【請求項４】
前記機能制限クリップは、前記ケースの第１側面に取り付けられるよう構成された第１アームと、
前記ケースの対向する第２側面に取り付けられるよう構成された第２アームと、
第１端で前記第１アームに、また、第２端で前記第２アームに接続され、前記アームを離間して保持するよう構成された少なくとも１つの端部と、
前記アームの一方の上に配置され、前記ケースのリリースボタンを係合するよう構成されたキーとを備えることを特徴とする請求項１に記載のシステム。
【請求項５】
前記ブリスターカードは薬剤関連品を含むことを特徴とする請求項３に記載のシステム。
【請求項６】
前記ケースは、前記摺動自在なカードを前記戻り止めに係合させるために、前記摺動自在なカード上に力を作用させるよう構成された１つ以上の傾斜部材をさらに備えることを特徴とする請求項４に記載のシステム。
【請求項７】
前記傾斜部材はスプリングであることを特徴とする請求項６に記載のシステム。
【請求項８】
前記傾斜部材はリブであることを特徴とする請求項６に記載のシステム。
【請求項９】
カード保持アイテムを収容する空所を形成するために、頂部と連結されたベースと、
連結により形成され、前記空所を定義する、対向側面及び閉鎖端と、
前記カードが移動し得るよう構成され、前記閉鎖端に対向する開口端と、
実質的に収容された第１配置に前記カードを係合するために、前記空所内に配置された少なくとも１つの戻り止めと、
前記空所内に配置され、前記戻り止めに近接し、前記カードが前記第１配置にある場合に、前記カードを前記戻り止めに係合させるよう構成された少なくとも１つの傾斜機構と、
前記戻り止めから前記カードを解放するよう構成され、戻り止めに近接した解放手段と、
前記解放手段を係合された機能制限クリップとを備えることを特徴とする選択自在に係合する子供のいたずら防止装置。
【請求項１０】
実質的に延在された第２配置内に前記カードを係合するために、前記空所内に配置された少なくとも１つの受けをさらに備えることを特徴とする請求項９に記載の選択自在に係合する子供のいたずら防止装置。
【請求項１１】
前記カードはブリスターカードであることを特徴とする請求項９に記載の選択自在に係合する子供のいたずら防止装置。
【請求項１２】
前記ブリスターカードは調合薬を保持することを特徴とする請求項１１に記載の選択自在に係合する子供のいたずら防止装置。
【請求項１３】
前記機能制限クリップは、前記装置の第１側面に取り付けられるよう構成された第１アームと、
前記装置の対向する第２側面に取り付けられるよう構成された第２アームと、
第１端で前記第１アームに、また、第２端で前記第２アームに接続され、前記アームを離間して保持するよう構成された少なくとも１つの端部と、
前記アームの一方の上に配置され、前記装置のリリースボタンを係合するよう構成されたキーとを備えることを特徴とする請求項９に記載の選択自在に係合する子供のいたずら防止装置。
【請求項１４】
１つ以上のスプリングをさらに備え、前記スプリングは、前記カードを前記戻り止めに係合させるために、前記摺動自在なカード上に圧縮力を作用させるよう構成されていることを特徴とする請求項１３に記載の選択自在に係合する子供のいたずら防止装置。
【請求項１５】
ロック付き容器の第１側面に取り付けられるよう構成された第１アームと、
前記ロック付き容器の対向する第２側面に取り付けられるよう構成された第２アームと、
第１端で前記第１アームに、また、第２端で前記第２アームに接続され、前記アームを離間して保持するよう構成された少なくとも１つの端部と、
前記アームの一方の上に配置され、前記ロック付き容器と協働してリリースボタンを係合するよう構成されたキーとを備えることを特徴とする機能制限クリップ。
【請求項１６】
カード保持アイテムを収容する空所を形成するために、頂部と連結されたベースと、
連結により形成され、前記空所を定義する、対向側面及び閉鎖端と、
前記カードが移動し得るよう構成され、前記閉鎖端に対向する開口端と、
実質的に収容された第１配置に前記カードを係合するために、前記空所内に配置された少なくとも１つの係合機構と、
前記空所内に配置され、前記係合機構に近接し、前記カードが前記第１配置にある場合に、前記カードを前記係合機構に係合させるよう構成された少なくとも１つの傾斜機構と、
前記係合機構から前記カードを解放するよう構成され、前記係合機構に近接した解放手段と、
前記解放手段を係合された機能制限クリップとを備えることを特徴とする選択自在に係合する子供のいたずら防止装置。
【請求項１７】
実質的に延在された第２配置内に前記カードを係合するために、前記空所内に配置された少なくとも１つの受け機構をさらに備えることを特徴とする請求項１６に記載の選択自在に係合する子供のいたずら防止装置。
【請求項１８】
前記係合機構は戻り止めを含むことを特徴とする請求項１７に記載の選択自在に係合する子供のいたずら防止装置。
【請求項１９】
前記係合機構はロッキングポストを含むことを特徴とする請求項１７に記載の選択自在に係合する子供のいたずら防止装置。
【請求項２０】
前記傾斜機構は板バネを含むことを特徴とする請求項１７に記載の選択自在に係合する子供のいたずら防止装置。
【請求項２１】
前記傾斜機構はリブを含むことを特徴とする請求項１７に記載の選択自在に係合する子供のいたずら防止装置。
【請求項２２】
前記機能制限クリップは、前記装置の第１側面に取り付けられるよう構成された第１アームと、
前記装置の対向する第２側面に取り付けられるよう構成された第２アームと、
第１端で前記第１アームに、また、第２端で前記第２アームに接続され、前記アームを離間して保持するよう構成された少なくとも１つの端部と、
前記アームの一方の上に配置され、前記装置のリリースボタンを係合するよう構成されたキーとを備えることを特徴とする請求項１６に記載の選択自在に係合する子供のいたずら防止装置。
【請求項２３】
複数の側面と、
前記複数の側面の一方に形成され、第１配置と第２配置との間で移動可能な解放手段と、
前記複数の側面の一方に形成され、少なくとも部分的に前記解放手段を取り囲む開口部と、
前記解放手段を係合するために、前記開口部にはめ込まれるように構成されたキーとを備えることを特徴とする摺動自在な部材を保持するケース。
【請求項２４】
前記摺動自在な部材はブリスターカードを含むことを特徴とする請求項２３に記載のケース。
【請求項２５】
前記キーはクリップの一部であり、前記クリップは、
前記複数の側面の第１側面に取り付けられるよう構成された第１アームと、
前記複数の側面の第２側面に取り付けられるよう構成された第２アームと、
第１端で前記第１アームに、また、第２端で前記第２アームに接続され、前記アームを離間して保持するよう構成された少なくとも１つの端部と、
前記アームの一方の上に配置されたキーとを備えることを特徴とする請求項２３に記載のケース。
【請求項２６】
前記解放手段は第１配置と第２配置との間で移動可能であり、
前記解放手段は、前記キーが前記開口部にはめ込まれ、前記解放手段を係合した場合には、実質的に前記第１配置から前記第２配置まで移動されないことを特徴とする請求項２３に記載のケース。
【請求項２７】
ケース係合アームと、
前記アームから延在する端縁と、
前記端縁に配置され、ロック付き容器のリリースボタンを係合するよう構成されたキーとを備えたことを特徴とする機能制限クリップ。
【請求項２８】
前記端縁と前記キーとの間で延在する第２ケース係合アームをさらに備えたことを特徴とする請求項２７に記載の機能制限クリップ。
【発明の詳細な説明】
【技術分野】
【０００１】
この出願は、以下に引用文献に含まれた２００７年４月１６日付け米国暫定特許出願第６０／９１２，０９５号の利益を請求する。
【０００２】
本発明は、一般的に子供のいたずら防止機能を有するロック付き容器に関するものである。より具体的には、本発明は、開放自在なロック付き容器に用いられる機能制限クリップに関するものである。
【背景技術】
【０００３】
容器を開くために複雑な操作を必要とする、子供のいたずら防止機能付きまたはロック付きの容器は、数多く用いられている。ロック付き容器の１つの使用方法としては、錠剤及びタブレット状の薬剤及び医薬品の調合の制御に用いられる。例えば、薬瓶のロックキャップがよく知られている。典型的なロックキャップ機構には、医薬品に接するために、容器からを取り外すようキャップの回転とともに、調整された配列及び傾斜、軸方向圧力、または内径方向の圧縮が要求される。
【０００４】
他の例においては、薬剤は、子供のいたずら防止を確実にすることは困難である従来の平坦な箱に包装されている。タブレット状の多くの医薬品は、ブリスターパック状、具体的には、ブリスターからタブレットを取り出す際に穴を開けられるバリアによって密封されるシート上に形成されてブリスター状で販売されている。１つ以上のブリスターパックを保持する典型的な厚紙の平坦な箱が開封されると、パッケージの全内容物が露出され、タブレットの全てが直ぐに利用できる。
【発明の開示】
【発明が解決しようとする課題】
【０００５】
消費しようとしていない大量のタブレットに子供が接触してしまうのは明らかに危険である。
【課題を解決するための手段】
【０００６】
本発明の実施形態は、アイテム、例えば、トレー、仕切のある引出、ブリスターカード、ブリスターパック等（「摺動自在なカード」）を保持する摺動部材で包装された医薬品の保存及び調合用の子供のいたずら防止ロック付き容器に関するものである。摺動自在なカードは、従来のブリスターパッケージとして示されているが、摺動部材は当業者が公知なトレー、摺動自在なパッケージやあらゆるパッケージとしてもよい。このロック付き容器は、摺動自在なカードを収容する空所を形成するために３つの側面が閉じられたツーピース成形プラスチック容器として示されている。摺動自在なカードは、ロック付き容器の解放した４つ目の側面を通って摺動自在に出し入れできる。あるロック付き容器上に成形された柱は、他のロック付き容器上に対応して成形された中空の円筒と連結され、ある実施形態においては、密封され、または密着される。エネルギー管理者は側端を密着させてもよい。
【０００７】
上記の摺動自在なカードには、容器内に十分に収容された際に、ロック付き容器の２部材の一方または両方を形成する少なくとも１つの戻り止めまたはツメ（「戻り止め」）を係合する少なくとも１つの開口受けが設けられている。リリースボタンは、ロック付き容器上に配置され、戻り止めに近接して配置されている。リブ、スプリング、または他の傾斜機構は、圧縮力を作用するように戻り止め近傍に配置され、これにより、摺動自在なカードを開口受けで戻り止めと係合させている。リリースボタンを押しつけることにより、戻り止め上に摺動自在なカードの開口部が持ち上げられ、摺動自在なカードが摺動自在に取り外される。機能制限クリップは、ロック付き容器に取り付けることができる。この機能制限クリップがロック付き容器の適切な位置に取り付けられた場合、機能制限クリップはリリースボタンに係合し、開口受けが戻り止めに係合されない。
【０００８】
実際には、ブリスターカードはスリーブ開口部に配置され、ガイドシリンダー間の限定スプリングを通り過ぎ、ベースの摺動ガイド上で内側に押しつけられる。頂部において形成されたスプリングまたはリブは、ブリスターカードをベース及び戻り止めに向かわせている。戻り止めまたはツメは、スリーブ内に摺動自在なカードをロックするために、摺動自在なカード内に形成された１つ以上の開口部に係合する。ベース上のリリースボタンを内側に押しつけることにより、戻り止めから離れた摺動自在なカードの一部がゆがむ。摺動自在なカードのゆがみは、戻り止めから離れた開口受けに移動し、摺動自在なカードがスリーブの開口端を通して外側に摺動される。
【０００９】
したがって、本発明の実施形態には、ケース及び摺動自在なカードを備えた保存及び調合システムが含まれる。摺動自在なカードには、少なくとも１つの戻り止め受けが設けられている。このカードには、カードを収容する空所を形成するために、第２側面に連結された第１側面が備えられている。第１側面及び第２側面が結合してケースを形成する場合、対向する閉鎖端縁及び連結により形成された閉鎖端が、カードを収容する空所を構成している。閉鎖端に対向する開口端は、カードを第１配置と第２配置との間で移動し得るように構成されている。１つ以上の戻り止めは、側面の一方から摺動自在なカードの戻り止め受けを係合するための空所に向けて延在している。ケースには、戻り止め受けと戻り止めとを係合するよう構成された戻り止め近傍の解放手段が含まれ、戻り止めと戻り止め受けを係合させることにより、ケース内にカードをロックし、戻り止めと戻り止め受けをほどくよう解放手段を操作することにより、カードが解放される。また、保存及び調合システムには、解放手段に係合するよう構成された機能制限クリップが含まれる。
【００１０】
本発明の態様によれば、カードには、１つ以上のアイテムを保持するブリスターカードが含まれる。
【００１１】
本発明の他の態様によれば、保存及び調合システムの機能制限クリップには、容器の第１側面に取り付けるよう構成された第１アームと、容器の反対側の第２側面に取り付けるように構成された第２アームとが含まれる。この機能制限クリップには、第１端で第１アームに接続し、第２端で第２アームに接続する少なくとも１つの端部が含まれ、離間してアームを保持するよう構成されている。キーは、アームの１つの上に配置され、容器のリリースボタンに係合するように配列される。
【００１２】
本発明の他の態様によれば、ブリスターカードには、薬剤関連品が含まれる。
【００１３】
本発明の他の態様によれば、容器には、摺動自在なカードに戻り止めを係合するために摺動自在なカード上に圧縮力を作用させるよう構成された１つ以上のスプリングがさらに備えられている。
【００１４】
本発明の他の態様によれば、容器には、容器の少なくとも片側と摺動自在なカードとの隙間を形成する１つ以上のリブがさらに備えられている。
【００１５】
本発明の他の実施形態によれば、選択可能に係合する子供のいたずら防止装置には、アイテムを保持するカードを受ける空所を形成するために、頂部に連結されたベースが含まれる。ベースと頂部の連結により形成された対向側面及び閉鎖端が空所を構成している。閉鎖端に対向する装置の開口端は、カードを出し入れし得るよう構成されている。実質的に受け入れられる第１配置にカードを係合するために、１つ以上の戻り止めが空所内に配置される。また、１つ以上の傾斜機構が空所内に配置される。これらの傾斜機構の１つ以上が戻り止めを調整するために配置され、カードが実質的に受け入れられる第１配置にある場合に、カードを戻り止めに係合するよう構成されている。解放手段は戻り止めの近傍に配置され、戻り止めからカードを解放するよう構成されている。実質的に延在する第２配置にカードを係合するために、１つ以上の戻り止めが空所内に配置される。さらに、装置には、解放手段に係合する取り外し自在な機構制限クリップが含まれている。
【００１６】
本発明の態様によれば、カードはアイテムを保持するトレイであり、また、他の態様によれば、カードは区画に分割されている。
【００１７】
本発明の他の態様によれば、カードはあらゆる携帯可能な物品を保持する。
【００１８】
本発明の他の態様によれば、装置の機能制限クリップには、容器の第１側面に取り付けるよう構成された第１アームと、容器の反対側の第２側面に取り付けるように構成された第２アームとが含まれる。この機能制限クリップには、第１端で第１アームに接続し、第２端で第２アームに接続する少なくとも１つの端部が含まれ、離間してアームを保持するよう構成されている。キーは、アームの１つの上に配置され、容器のリリースボタンに係合するように配列される。
【００１９】
本発明の他の態様によれば、選択可能に係合する子供のいたずら防止装置には、さらに、１つ以上のスプリングを設けることができる。このスプリングは、カードに１つ以上の戻り止めを係合するように摺動自在なカード上に圧縮力を作用させる構成である。
【００２０】
本発明の他の態様によれば、機能制限クリップには、容器の第１側面に取り付けるよう構成された第１アームと、容器の反対側の第２側面に取り付けるように構成された第２アームとが含まれる。この機能制限クリップには、第１端で第１アームに接続し、第２端で第２アームに接続する少なくとも１つの端部が含まれ、離間してアームを保持するよう構成されている。キーは、アームの１つの上に配置され、容器のリリースボタンに係合するように配列される。
【００２１】
本発明のこれら及びその他の態様は、図面及び詳細な記載を参照して明らかとされるであろう。
【図面の簡単な説明】
【００２２】
【図１】本発明のロック付き容器の説明図である。
【図２】図１のロック付き容器の反対側からの説明図である。
【図３】図１及び２の組立ロック付き容器の透視図である。
【図４】本発明の本発明の部分的に取り出したブリスターカードを示した他のロック付き容器の透視図である。
【図５】図４のロック付き容器の反対側の透視図である。
【図６】本発明の実施形態の取り外されたロック付き容器用機能制限クリップを説明する図である。
【図７】図６の取り付けられた機能制限クリップ及びロック付き容器を示す図である。
【図８】図７の取り付けられた機能制限クリップ及びロック付き容器の断面図である。
【図９】図７の取り付けられた機能制限クリップ及びロック付き容器の反対側からみた透視図である。
【図１０】本発明の他の機能制限クリップ及びロック付き容器を説明する図である。
【図１１】図１０の取り付けられた機能制限クリップ及びロック付き容器を示す図である。
【発明を実施するための最良の形態】
【００２３】
以下、請求する本発明の詳細な実施形態を開示する。開示された実施形態は、多様な変更態様及びこれらの組み合わせの単なる模範的な開示にすぎないことを理解する必要がある。以下、用語「模範的」は、実例、見本、模型またはひな形としての実施形態をさして拡張的に用いられる。図面は一定比率に縮小する必要はなく、いくつかの態様が特定の構成部分の詳細を示すために誇張または極小化されていてもよい。その他には、本発明を不明瞭としないために、公知の構成部分、システム、材料または方法については詳述していない。したがって、以下に示された特定の構造的及び機能的な詳細は、限定として解釈されるべきではなく、単なる請求項の根拠及び本発明を様々に用いる当業者への典型的な根拠として解釈されるべきである。
【００２４】
本発明は、実施形態として参照された薬剤関連品に限定されるものではなく、いずれの小型、精巧、高感度または携帯用のアイテムにも適用可能である。このようなアイテムの例としては、キャンディ、食品、ビタミン剤等のあらゆる種類の消耗品、コンタクトレンズ、避妊具、禁煙パッチ、補聴器用バッテリー等のあらゆる種類の個人医療品、ロック付き容器に収納可能なあらゆるアイテムが挙げられる。さらに、本発明は実施形態として示されたブリスターパックに限定されるものではなく、あらゆる種類のアイテムを保持し、保存し、取り付け、保管し、または組み合わせることができる、トレー、カード、ラック、パック、ポーチ等のいずれにも適用することが可能である。
【００２５】
終始同様の符号は同様の態様を示した図面を参照し、本発明の実施形態を説明する。まず、図１及び２について考察すると、模範的なロック付き容器１０の分解組み立て図が示されている。示されたように、ロック付き容器１０は、ロッキングスリーブ１４内に、摺動自在な部材、例えばトレーまたはブリスターカード１２（「カード」）を保持している。ロッキングスリーブ１４は、ベース１６とトップ１８からなる。リリースボタン２０は、ベース１６にリリースボタン２０を取り付けるヒンジ２２に沿った部分を除いて設けられたリリースボタン周縁開口部２１（「開口部」）により取り囲まれている。自由端２４の内周縁には、拡張リム２５が含まれている。以下に詳細に説明するように、リリースボタン２０の自由端２４、すなわち開口部２１を調整するリリースボタン２０の端部を内側に押しつけることにより、カード１２が開放される。リリースボタン２０を押しつけながら、凹部２８を通して露出したブリスターカード端部２６（図３に最も良く示されている）を把持し、外側に引っ張り出すことにより、ブリスターカード１２がはずされ、少なくとも部分的にスリーブ１４から引き出される。
【００２６】
このブリスターカード１２には、２列３２に配列されたブリスター３０が含まれている。この特異的な配列により、カード１２を内側または外側に移動させた際に、ブリスター３０が実施形態の一定の内部形態とならないようにしている。カード１２は、当業者に公知な様式により構成されており、ロック付き容器１０の内部形態に係合するための１つ以上の開口部３４を含んでいる。このカード１２には、協働的にカード１２を係合して、スリーブ１４からカード１２が除かれるのを防ぐ、戻り止めおよび保持受けの両者として機能するよう構成された１つの開口部３４を備えている。実施形態においては、リリースボタン２０を適切に押しつけまたは操作することによりカード１２が意図的に開放されるまで、カード１２の移動または出し入れを妨げるように、この開口部３４がブリスター３０の背後に配置され、戻り止め２９と協働する。
【００２７】
スリーブ頂部１８の開口４６は、カード１２を押しつけ、開口部３４が戻り止め２９に係合させる一つ以上のスプリング４８を形成している。スプリングは、戻り止め２９に係合または係合し続けるために、カード１２上に圧縮力を作用させる、リブ、板バネ、ダガースプリング、これらの組み合わせのような付加的なバイアス装置に置き換えられ、または、追加される。理解されるように、バイアス装置４８は、戻り止め２９に対向している必要はなく、バイアス装置４８と戻り止め２９とは、単にカード１２の開口部３４を協働的に係合するよう構成されているに過ぎない。
【００２８】
他の実施形態においては、カード１２が容器１０内に十分収容された際に、カード１２の端部のリブ３８（図３に最もよく示されている）は、スリーブ１４の開口端４０を閉じ、ブリスター３０への接近を防いでいる。リブ３８は、カットアウト２８内にはめ込まれ、カード１２の外側へのスライドを助ける。この閉鎖配置においては、リブ３８は、頂部１８の内側に押しつけることによりスリーブ１４の開口端４０を閉じる。
【００２９】
図１および２に最もよく示されているように、ベース１６の側壁５２に隣接して配置されたシリンダー５０は、頂部１８から下側に延在するピン５１を収容する。凹所２８に隣接する開口端４０近傍の頂部１８の中心に配置されたダガースプリングのような保持受け５４は、容器１０からのカード１２の完全な取り外しを防ぐため、開口部３４として表現された保持受けによりしっかりと接続される。この閉鎖されロックされた形態においては、戻り止め２９は、スリーブ１４内にカード１２を固定するために、開口部３４として示された保持受けを通して突出している。頂部１８の内部の内側リブ５８は、摺動自在に延在及び収納するため、カード１２を安定化する。
【００３０】
図４は、部分的に取り出したブリスターカード１２を示したロック付き容器１１０の他の実施形態の透視図である。図５は、取り付け直前及び取り外し直前のブリスターカード１２を示した図４のロック付き容器の反対側の透視図である。
【００３１】
図１〜５を参照すると、操作中においては、リリースボタン２０の自由端２４がリブとスプリング４８との間に配置され、リリースボタン２０が押しつけられた際に、リム２５がスプリング４８に対して及び戻り止め２９上にカード１２を押しつける。ベース１６の内側に位置するガイド６４は、カード１２のスライドを可能とする。リリースボタン２０が押しつけられると、戻り止め受け３４が戻り止め２９上に持ち上げられるまで、リム２５がカード１２を持ち上げる。同時に、少なくともブリスター３０の第１セットに接近するように、カード端２６が把持され、引き出される。戻り止め受け３４が戻り止め５４に係合するまで、カード１２が取り出される。
【００３２】
戻り止め２９には、カード１２が容器１０，１１０内に十分収容された際に開口部３４に係合する係合端７６が含まれ、リリースボタン２０とリム２５が戻り止め２９から開口部３４を解放するまで、外側への移動を防ぐようにカード１２を保持する。容器１０，１１０からアイテムが除かれた後、カード１２が内側にスライドされ、スリーブ１４内の位置に戻される。カード１２を再び収容すると、カード１２が容器１０，１１０内に十分に再収容されるように、戻り止め２９の傾斜した上面７８が持ち上げられ、開口部３４を戻り止め２９に係合させる。カード１２が十分に収容された際には、開口部３４が戻り止め２９を実質的に取り囲み、係合する。
【００３３】
上述の実施形態及び記載は、ロック付き容器１０，１１０の長所について述べている。しかしながら、一定の条件下においては、ロック機能は要求されない。例えば、ロック付き容器１０，１１０のブリスターパック１２内に薬剤を保持しているが、容器１０，１１０近傍に子供がいない状況である。また、容器１０，１１０近傍に子供がいるが、限られた時間のみでる状況である。このような環境においては、子供のいたずら防止機能が制限され、これにより、ロック付き容器１０，１１０及びその内容物を所有し、内容物を使用するユーザー、すなわち大人が、子供のいたずら防止機能を繰り返し処理することなく、内容物に接することができる。
【００３４】
図６〜１１に示された本発明の他の実施形態は、ロック付き容器２００及び機能制限クリップ２１０，３１０を開示している。このロック付き容器２００は、上記のロック付き容器１０，１１０とは本質的に区別されることに留意すべきである。機能制限クリップ２１０，３１０が容器１０，１１０，２００に係合する場合には、クリップ２１０，３１０が解放位置でリリースボタン２０を押し下げ続けているので、戻り止め受け３４を戻り止め２９から解放するためのリリースボタン２０を押し下げる必要なしに、ブリスターカード１２のような内容物に接することができる。さらに、いくつかの実施形態においては、機能制限を避けるためにクリップ２１０，３１０が取り除かれていてもよく、また、他の実施形態においては、クリップ２１０，３１０が永久に係合されていてもよい。
【００３５】
図６を見てみると、模範的なロック付き容器２００には、ベース１６、頂部１８及びリリースボタン２０が含まれることが示されている。模範的な機能制限クリップ２１０には、ベース係合アーム２１２及びトップ係合アーム２１４が含まれる。第１端１６及び第２端２２０は、係合アーム２１２，２１４に連結されている。溝またはキー２２２（「キー」）は、ベース係合アーム２１２から内側に延在している。図７及び８を参照して以下に説明するように、溝またはキー２２２は、リリースボタン２０を取り囲み、前述で周囲開口２１と言われたキー溝２２１の幅よりわずかに厚い。
【００３６】
図７に最もよく示されているように、機能制限クリップ２１０が十分に容器２００に取り付けられた場合には、ベースアーム２１２がベース１６に接続し、トップアーム２１４が頂部１８に接続し、キー２２２がリリースボタン２０を内側に保持し、これにより、戻り止め受け３４は、内側に押し付けられ、戻り止め２９から解放される。また、図８に最もよく示されているように、キー２２２をわずかに狭いキー溝２２１に収容することにより、キー２２２とリリースボタン２０との間において、リリースボタン２０を内側に向ける強い摩擦が生じ、これにより、戻り止め受け３４が戻り止め２９から解放され、リリースボタン２０がその配置に保持される。図９は、容器の頂部から見た容器２００及びクリップ２１０を示す。その結果、上記したように、リリースボタン２０のさらなる操作なしに、容器２００の内容物を取り出すことができる。
【００３７】
他の実施形態においては、どちらのアーム２１２，２１４がリリースボタン２０に係合するとしても、キー２２２が配置される。機能制限クリップ２１０が柔軟性を有するこれらの実施形態においては、アーム２１２，２１４の１つを背後に回転させる、すなわち、容器２００の端部からアーム２１２，２１４を背後に押しつけ、キー２２２を持ち上げ、クリップ２１０を押し落とすことにより、容器から機能制限クリップ２１０が取り外される。
【００３８】
図１０を見ると、ベース１６、頂部１８及びリリースボタン２０を含む他の模範的なロック付き容器２００が示されている。模範的な機能制限クリップ３１０には、ベース係合アーム３１２、トップ係合アーム３１４、係合アーム３１２，３１４に接続する端部３１６、及びべース係合アーム３１２から内側に延在する溝またはキー３２２が含まれる。
【００３９】
図１１に最もよく示されているように、機能制限クリップ３１０が十分に容器２００に取り付けられた場合には、ベースアーム３１２がベース１６に接続し、トップアーム３１４が頂部１８に接続し、キー３２２がリリースボタン２０を内側に保持し、これにより、戻り止め受け３４は、内側に押し付けられ、戻り止め２９から解放される。容器２００にクリップ３１０を取り付けることにより、リリースボタン２０を内側に向けさせ、これにより、戻り止め受け３４が戻り止め２９から解放され、リリースボタン２０がその配置に保持される。その結果、上記したように、リリースボタン２０のさらなる操作なしに、容器２００の内容物を取り出すことができる。
【００４０】
前記は、戻り止め２９及び戻り止め受け３４を備えた実施形態について述べている。戻り止め２９は単なる模範的な係合機構にすぎないことを理解すべきである。また、本発明の概念は、例えば、掛け金、へり、板バネ、ピン、ノッチ、ツメ、ホック、接着剤、ＶＥＬＣＲＯ(登録商標）締め具、磁石、金属面、これらの組み合わせ等のあらゆる係合機構を含む。同様に、戻り止め受け３４は単なる係合機構に作用する模範的な受けにすぎない。また、本発明の概念は、例えば、開口部、ツメ、掛け金、ホック、へり、接着剤、ＶＥＬＣＲＯ(登録商標）締め具、磁石、金属面、これらの組み合わせ等のあらゆる受け機構を含む。
【００４１】
さらに、開示された機能制限クリップ２１０，３１０はあらゆる好適なロック付き容器とともに用いられ、その使用はロック付き容器の機能を制限することに限定されないことを理解すべきである。この結果として、開示された機能制限クリップ２１０，３１０とともに用いられる好適なロック付き容器の可能な全ての実施形態について説明することは不可能であろう。開示された概念が用いられる好適な容器の付加的な例示としては、以下の審査中の米国暫定的特許出願番号の不完全なリストが参照できる。米国暫定特許出願第６０／９１２，８４９、、米国暫定特許出願第６０／９３９，４８４、米国暫定特許出願第６０／９３８，６２３、米国暫定特許出願第６０／９５５，４９２、国際特許出願第ＵＳ２００７／０６２６９３。
【００４２】
法律は要求しておらず、本クレームの可能な実施形態を説明及び開示することは経済的に法外なものである。これにより、上記の実施形態は単に開示の本質の明確な理解のための手段の模範的な説明にすぎない。したがって、クレームの目的から逸脱することのない範囲で、上記実施形態は変更、修飾及びこれらの組み合わせを行うことができる。これに鑑みて、この開示及び以下のクレームの目的には、このような変更、修飾及びこれらの組み合わせの全てが含まれる。
【図１】
2010524787.tif 000003
【図２】
2010524787.tif 000004
【図３】
2010524787.tif 000005
【図４】
2010524787.tif 000006
【図５】
2010524787.tif 000007
【図６】
2010524787.tif 000008
【図７】
2010524787.tif 000009
【図８】
2010524787.tif 000010
【図９】
2010524787.tif 000011
【図１０】
2010524787.tif 000012
【図１１】
2010524787.tif 000013
【国際調査報告】
2010524787.tif 000014
2010524787.tif 000015